【手続補正書】
【提出日】令和1年6月6日(2019.6.6)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
通信のための高効率（ＨＥ）信号フィールドおよびＨＥデータフィールドを含む無線フレーム構造を識別することと、
位相回転を前記ＨＥ信号フィールドの一部分の全て他のデータトーンに適用することと、ここにおいて、前記ＨＥ信号フィールドは、前記一部分に先行する複数の回転していないデータトーンを備える、
全ての他のデータトーンに適用される前記位相回転を有する前記一部分を含む前記ＨＥ信号フィールドを有する無線フレームを送信することと
を備える、方法。
【請求項２】
前記位相回転は、高ピーク対平均電力比（ＰＡＰＲ）状態に少なくとも部分的に基づく、請求項１に記載の方法。
【請求項３】
前記ＨＥ信号フィールドの前記一部分の全ての他のデータトーンに適用される前記位相回転は、直交振幅変調（ＱＡＭ）マッピングの後に、トーンのセット上に適用される、請求項１に記載の方法。
【請求項４】
複数の周波数領域を識別することをさらに備え、ここにおいて、前記位相回転は、前記複数の各周波数領域に適用される、
請求項１に記載の方法。
【請求項５】
前記ＨＥ信号フィールドを１つまたは複数のセグメントに分割することと、
前記位相回転を前記１つまたは複数のセグメントの各々に適用することと
をさらに備える、請求項１に記載の方法。
【請求項６】
前記ＨＥ信号フィールドは、５６個のトーンを備え、前記５６個のトーンは、５２個のデータトーンを含む、請求項１に記載の方法。
【請求項７】
前記ＨＥ信号フィールドのｋ番目のデータトーンごとの前記位相回転は、
【数１】
2019515585.tif 000001
を備える、請求項６に記載の方法。
【請求項８】
前記ＨＥ信号フィールドは、ＨＥ  ＳＩＧ−ＡフィールドまたはＨＥ  ＳＩＧ−Ｂフィールドを備える、請求項１に記載の方法。
【請求項９】
前記ＨＥ信号フィールドは、２０ＭＨｚのチャネルを備える、請求項１に記載の方法。
【請求項１０】
前記位相回転は、デュアルキャリア変調（ＤＣＭ）二相位相変調（ＢＰＳＫ）ビットマッピングを備える、請求項１に記載の方法。
【請求項１１】
ワイヤレス通信のための装置であって、
通信のための高効率（ＨＥ）信号フィールドおよびＨＥデータフィールドを含む無線フレーム構造を識別するための手段と、
位相回転を前記ＨＥ信号フィールドの一部分の全て他のデータトーンに適用するための手段と、ここにおいて、前記ＨＥ信号フィールドは、前記一部分に先行する複数の回転していないデータトーンを備える、
全ての他のデータトーンに適用される前記位相回転を有する前記一部分を含む前記ＨＥ信号フィールドを有する無線フレームを送信するための手段と
を備える、装置。
【請求項１２】
前記位相回転は、高ピーク対平均電力比（ＰＡＰＲ）状態に少なくとも部分的に基づく、
請求項１１に記載の装置。
【請求項１３】
前記ＨＥ信号フィールドの前記一部分の全ての他のデータトーンに適用される前記位相回転は、直交振幅変調（ＱＡＭ）マッピングの後に、トーンのセット上に適用される、
請求項１１に記載の装置。
【請求項１４】
複数の周波数領域を識別するための手段をさらに備え、ここにおいて、前記位相回転は、前記複数の各周波数領域に適用される、
請求項１１に記載の装置。
【請求項１５】
前記ＨＥ信号フィールドを１つまたは複数のセグメントに分割するための手段と、
前記位相回転を前記１つまたは複数のセグメントの各々に適用するための手段と
をさらに備える、請求項１１に記載の装置。
【請求項１６】
前記ＨＥ信号フィールドは、５６個のトーンを備え、前記５６個のトーンは、５２個のデータトーンを含む、
請求項１１に記載の装置。
【請求項１７】
前記ＨＥ信号フィールドのｋ番目のデータトーンごとの前記位相回転は、
【数２】
2019515585.tif 000002
を備える、請求項１６に記載の装置。
【請求項１８】
前記ＨＥ信号フィールドは、ＨＥ信号Ａ（ＳＩＧ−Ａ）フィールドまたはＨＥ信号Ｂ（ＳＩＧ−Ｂ）フィールドを備える、
請求項１１に記載の装置。
【請求項１９】
前記ＨＥ信号フィールドは、２０ＭＨｚのチャネルを備える、
請求項１１に記載の装置。
【請求項２０】
前記位相回転は、デュアルキャリア変調（ＤＣＭ）二相位相変調（ＢＰＳＫ）ビットマッピングを備える、
請求項１１に記載の装置。
【請求項２１】
ワイヤレス通信のための装置であって、
プロセッサと、
前記プロセッサと電子通信状態にあるメモリと、
前記メモリに記憶され、および前記プロセッサによって実行されると、前記装置に、
通信のための高効率（ＨＥ）信号フィールドおよびＨＥデータフィールドを含む無線フレーム構造を識別することと、
位相回転を前記ＨＥ信号フィールドの一部分の全て他のデータトーンに適用することと、ここにおいて、前記ＨＥ信号フィールドは、前記一部分に先行する複数の回転していないデータトーンを備える、
全ての他のデータトーンに前記位相回転を有する前記一部分を含む前記ＨＥ信号フィールドを有する無線フレームを送信することと
を行わせるように動作可能である命令と
を備える、装置。
【請求項２２】
前記位相回転は、高ピーク対平均電力比（ＰＡＰＲ）状態に少なくとも部分的に基づく、
請求項２１に記載の装置。
【請求項２３】
前記ＨＥ信号フィールドの前記一部分の全ての他のデータトーンに適用される前記位相回転は、直交振幅変調（ＱＡＭ）マッピングの後に、トーンのセット上に適用される、
請求項２１に記載の装置。
【請求項２４】
前記命令は、
複数の周波数領域を識別することが、前記プロセッサによってさらに実行可能であり、ここにおいて、前記位相回転は、前記複数の各周波数領域に適用される、
請求項２１に記載の装置。
【請求項２５】
前記命令は、
前記ＨＥ信号フィールドを１つまたは複数のセグメントに分割することと、
前記位相回転を前記１つまたは複数のセグメントの各々に適用することと
が、前記プロセッサによってさらに実行可能である、請求項２１に記載の装置。
【請求項２６】
前記ＨＥ信号フィールドは、５６個のトーンを備え、前記５６個のトーンは、５２個のデータトーンを含む、
請求項２１に記載の装置。
【請求項２７】
前記ＨＥ信号フィールドのｋ番目のデータトーンごとの前記位相回転は、
【数３】
2019515585.tif 000003
を備える、請求項２６に記載の装置。
【請求項２８】
前記ＨＥ信号フィールドは、ＨＥ信号Ａ（ＳＩＧ−Ａ）フィールドまたはＨＥ信号Ｂ（ＳＩＧ−Ｂ）フィールドを備える、
請求項２１に記載の装置。
【請求項２９】
前記位相回転は、デュアルキャリア変調（ＤＣＭ）二相位相変調（ＢＰＳＫ）ビットマッピングを備える、
請求項２１に記載の装置。
【請求項３０】
ワイヤレス通信のためのコードを記憶する非一時的コンピュータ可読媒体であって、前記コードは、
通信のための高効率（ＨＥ）信号フィールドおよびＨＥデータフィールドを含む無線フレーム構造を識別することと、
位相回転を前記ＨＥ信号フィールドの一部分の全て他のデータトーンに適用することと、ここにおいて、前記ＨＥ信号フィールドは、前記一部分に先行する複数の回転していないデータトーンを備える、
全ての他のデータトーンに適用される前記位相回転を有する前記一部分を含む前記ＨＥ信号フィールドを有する無線フレームを送信することと
を行うために、プロセッサによって実行可能な命令を備える、非一時的コンピュータ可読媒体。
【手続補正２】
【補正対象書類名】明細書
【補正対象項目名】０１７８
【補正方法】変更
【補正の内容】
【０１７８】
[0178]  本明細書における説明は、当業者が本開示を製造または使用することを可能にするために提供される。本開示に対する様々な修正は、当業者にとって容易に明らかとなり、本明細書に定義された包括的な原理は、本開示の範囲から逸脱することなしに他の変形に適用され得る。よって、本開示は、本明細書において説明された例および設計に限定されず、本明細書で開示された原理および新規の特徴に合致する最も広い範囲を与えられることとなる。
以下に本願の出願当初の特許請求の範囲に記載された発明を付記する。
［Ｃ１］
ワイヤレス通信のための方法であって、
通信のための高効率（ＨＥ）信号フィールドおよびＨＥデータフィールドを含む無線フレーム構造を識別することと、
位相回転を前記ＨＥ信号フィールドのシンボルのセットに適用することと、
前記位相回転を有するシンボルの前記セットを含む前記ＨＥ信号フィールドを有する無線フレームを送信することと
を備える、方法。
［Ｃ２］
前記位相回転は、高ピーク対平均電力比（ＰＡＰＲ）状態に少なくとも部分的に基づく、Ｃ１に記載の方法。
［Ｃ３］
前記ＨＥ信号フィールドのシンボルの前記セットに適用される前記位相回転は、直交振幅変調（ＱＡＭ）マッピングの後に、トーンのセット上に適用される、Ｃ１に記載の方法。
［Ｃ４］
複数の周波数領域を識別することをさらに備え、ここにおいて、前記位相回転は、前記複数の各周波数領域に適用される、
Ｃ１に記載の方法。
［Ｃ５］
前記ＨＥ信号フィールドを１つまたは複数のセグメントに分割することと、
前記位相回転を前記１つまたは複数のセグメントの各々に適用することと
をさらに備える、Ｃ１に記載の方法。
［Ｃ６］
前記ＨＥ信号フィールドは、５６個のトーンを備え、前記５６個のトーンは、５２個のデータトーンを含む、Ｃ１に記載の方法。
［Ｃ７］
前記ＨＥ信号フィールドのｋ番目のデータトーンごとの前記位相回転は、
［数２］
2019515585.tif 000004
を備える、Ｃ６に記載の方法。
［Ｃ８］
前記ＨＥ信号フィールドは、ＨＥ  ＳＩＧ−ＡフィールドまたはＨＥ  ＳＩＧ−Ｂフィールドを備える、Ｃ１に記載の方法。
［Ｃ９］
前記ＨＥ信号フィールドは、２０ＭＨｚのチャネルを備える、Ｃ１に記載の方法。
［Ｃ１０］
前記位相回転は、デュアルキャリア変調（ＤＣＭ）二相位相変調（ＢＰＳＫ）ビットマッピングを備える、Ｃ１に記載の方法。
［Ｃ１１］
ワイヤレス通信のための装置であって、
通信のための高効率（ＨＥ）信号フィールドおよびＨＥデータフィールドを含む無線フレーム構造を識別するための手段と、
位相回転を前記ＨＥ信号フィールドのシンボルのセットに適用するための手段と、
前記位相回転を有するシンボルの前記セットを含む前記ＨＥ信号フィールドを有する無線フレームを送信するための手段と
を備える、装置。
［Ｃ１２］
前記位相回転は、高ピーク対平均電力比（ＰＡＰＲ）状態に少なくとも部分的に基づく、
Ｃ１１に記載の装置。
［Ｃ１３］
前記ＨＥ信号フィールドのシンボルの前記セットに適用される前記位相回転は、直交振幅変調（ＱＡＭ）マッピングの後に、トーンのセット上に適用される、
Ｃ１１に記載の装置。
［Ｃ１４］
複数の周波数領域を識別するための手段をさらに備え、ここにおいて、前記位相回転は、前記複数の各周波数領域に適用される、
Ｃ１１に記載の装置。
［Ｃ１５］
前記ＨＥ信号フィールドを１つまたは複数のセグメントに分割するための手段と、
前記位相回転を前記１つまたは複数のセグメントの各々に適用するための手段と
をさらに備える、Ｃ１１に記載の装置。
［Ｃ１６］
前記ＨＥ信号フィールドは、５６個のトーンを備え、前記５６個のトーンは、５２個のデータトーンを含む、
Ｃ１１に記載の装置。
［Ｃ１７］
前記ＨＥ信号フィールドのｋ番目のデータトーンごとの前記位相回転は、
［数３］
2019515585.tif 000005
を備える、Ｃ１６に記載の装置。
［Ｃ１８］
前記ＨＥ信号フィールドは、ＨＥ信号Ａ（ＳＩＧ−Ａ）フィールドまたはＨＥ信号Ｂ（ＳＩＧ−Ｂ）フィールドを備える、
Ｃ１１に記載の装置。
［Ｃ１９］
前記ＨＥ信号フィールドは、２０ＭＨｚのチャネルを備える、
Ｃ１１に記載の装置。
［Ｃ２０］
前記位相回転は、デュアルキャリア変調（ＤＣＭ）二相位相変調（ＢＰＳＫ）ビットマッピングを備える、
Ｃ１１に記載の装置。
［Ｃ２１］
ワイヤレス通信のための装置であって、
プロセッサと、
前記プロセッサと電子通信状態にあるメモリと、
前記メモリに記憶され、および前記プロセッサによって実行されると、前記装置に、
通信のための高効率（ＨＥ）信号フィールドおよびＨＥデータフィールドを含む無線フレーム構造を識別することと、
位相回転を前記ＨＥ信号フィールドのシンボルのセットに適用することと、
前記位相回転を有するシンボルの前記セットを含む前記ＨＥ信号フィールドを有する無線フレームを送信することと
を行わせるように動作可能である命令と
を備える、装置。
［Ｃ２２］
前記位相回転は、高ピーク対平均電力比（ＰＡＰＲ）状態に少なくとも部分的に基づく、
Ｃ２１に記載の装置。
［Ｃ２３］
前記ＨＥ信号フィールドのシンボルの前記セットに適用される前記位相回転は、直交振幅変調（ＱＡＭ）マッピングの後に、トーンのセット上に適用される、
Ｃ２１に記載の装置。
［Ｃ２４］
前記命令は、
複数の周波数領域を識別することが、前記プロセッサによってさらに実行可能であり、ここにおいて、前記位相回転は、前記複数の各周波数領域に適用される、
Ｃ２１に記載の装置。
［Ｃ２５］
前記命令は、
前記ＨＥ信号フィールドを１つまたは複数のセグメントに分割することと、
前記位相回転を前記１つまたは複数のセグメントの各々に適用することと
が、前記プロセッサによってさらに実行可能である、Ｃ２１に記載の装置。
［Ｃ２６］
前記ＨＥ信号フィールドは、５６個のトーンを備え、前記５６個のトーンは、５２個のデータトーンを含む、
Ｃ２１に記載の装置。
［Ｃ２７］
前記ＨＥ信号フィールドのｋ番目のデータトーンごとの前記位相回転は、
［数４］
2019515585.tif 000006
を備える、Ｃ２６に記載の装置。
［Ｃ２８］
前記ＨＥ信号フィールドは、ＨＥ信号Ａ（ＳＩＧ−Ａ）フィールドまたはＨＥ信号Ｂ（ＳＩＧ−Ｂ）フィールドを備える、
Ｃ２１に記載の装置。
［Ｃ２９］
前記位相回転は、デュアルキャリア変調（ＤＣＭ）二相位相変調（ＢＰＳＫ）ビットマッピングを備える、
Ｃ２１に記載の装置。
［Ｃ３０］
ワイヤレス通信のためのコードを記憶する非一時的コンピュータ可読媒体であって、前記コードは、
通信のための高効率（ＨＥ）信号フィールドおよびＨＥデータフィールドを含む無線フレーム構造を識別することと、
位相回転を前記ＨＥ信号フィールドのシンボルのセットに適用することと、
前記位相回転を有するシンボルの前記セットを含む前記ＨＥ信号フィールドを有する無線フレームを送信することと
を行うために、プロセッサによって実行可能な命令を備える、非一時的コンピュータ可読媒体。